(57)【要約】【課題】  広角端において１２０°を超える超広画角を得ながら、十分なバックフォーカスを確保することが可能であり、３５ｍｍフォーマットのような大きなイメージサークルにも対応することが可能であり、良好な光学性能を得ることが可能なズームレンズを提供する。【解決手段】  物体側から像側へ順に、負の屈折力の第１レンズ群と、正の屈折力の第２レンズ群と、正の屈折力の第３レンズ群とから構成されるズームレンズであって、第１レンズ群は物体側から像側へ順に、負メニスカスレンズを３枚連続して有し、第１負メニスカスレンズの物体側のレンズ面は非球面形状であり、第３負メニスカスレンズの物体側及び像側のレンズ面は非球面形状であり、開口絞りが第２レンズ群の内部に配置され無限遠物体から近距離物体へのフォーカシングに際し、第２レンズ群が光軸に沿って物体側から像側へ移動することを特徴とするズームレンズとした。【選択図】図１
2018045097.tif 000002
【特許請求の範囲】
【請求項１】
物体側から像側へ順に、負の屈折力の第１レンズ群と、正の屈折力の第２レンズ群と、正の屈折力の第３レンズ群とから構成され、
広角端から望遠端へのズーミングに際し、前記第１レンズ群と前記第２レンズ群の間隔が減少し、前記第２レンズ群と前記第３レンズ群の間隔が増大するズームレンズであって、
前記第１レンズ群は物体側から像側へ順に、物体側に凸面を向けた第１負メニスカスレンズと、物体側に凸面を向けた第２負メニスカスレンズと、物体側に凸面を向けた第３負メニスカスレンズを有し、
前記第１負メニスカスレンズの物体側のレンズ面は非球面形状であり、
前記第３負メニスカスレンズの物体側及び像側のレンズ面は非球面形状であり、
前記第２レンズ群は物体側から像側へ順に、正の屈折力の第２Ａレンズ群と、開口絞りと、負の屈折力の第２Ｂレンズ群からなり、
無限遠物体から近距離物体へのフォーカシングに際し、前記第２レンズ群が光軸に沿って物体側から像側へ移動することを特徴とするズームレンズ。
【請求項２】
以下の条件を満足することを特徴とする請求項１に記載のズームレンズ。
（１）Ｌ３Ｆａｓｐ＿Ｈ＜０．０
（２）０．０≦Ｌ３Ｆａｓｐ＿Ｌ
（３）０．０＜Ｌ３Ｒａｓｐ
Ｌ３Ｆａｓｐ＿Ｈ：第３負メニスカスレンズの物体側の非球面形状のレンズ面において広角端での相対像高比０．７５よりも周縁側に対応する主光線が通過する領域における非球面サグ量（基準球面と光軸の交点を基準とした各光線高における基準球面から非球面までの光軸上の長さの差分）
Ｌ３Ｆａｓｐ＿Ｌ：第３負メニスカスレンズの物体側の非球面形状のレンズ面において広角端での相対像高比０．５よりも光軸側に対応する主光線が通過する領域における非球面サグ量（基準球面と光軸の交点を基準とした各光線高における基準球面から非球面までの光軸上の長さの差分）
Ｌ３Ｒａｓｐ：第３負メニスカスレンズの像側の非球面形状のレンズ面における非球面サグ量（基準球面と光軸の交点を基準とした各光線高における基準球面から非球面までの光軸上の長さの差分）
【請求項３】
以下の条件を満足することを特徴とする請求項１又は２に記載のズームレンズ。
（４）３５＜１／（｜１／Ｇ２ＢＲ１｜＋｜１／Ｇ２ＢＲ２｜）
Ｇ２ＢＲ１：負の屈折力の第２Ｂレンズ群の物体側のレンズ面の曲率半径
Ｇ２ＢＲ２：負の屈折力の第２Ｂレンズ群の像側のレンズ面の曲率半径
【発明の詳細な説明】
【技術分野】
【０００１】
本発明は、デジタルカメラ、銀塩カメラ、ビデオカメラ等に用いられるズームレンズに関し、広角端において１２０°を超える超広画角を得ながら、十分なバックフォーカスを確保することが可能であり、３５ｍｍフォーマットのような大きなイメージサークルにも対応することが可能であり、良好な光学性能を得ることが可能なズームレンズに関するものである。
【背景技術】
【０００２】
従来、広角端において１２０°を超える画角を得ることが可能なズームレンズが、例えば下記特許文献に開示されている。
【０００３】
特許文献１には、物体側より順に、負の屈折力の第１レンズ群Ｇ１、正の屈折力の第２レンズ群Ｇ２からなり、第１レンズ群Ｇ１は、負の屈折力の第１Ａレンズ群Ｇ１Ａ、負の屈折力の第１Ｂレンズ群Ｇ１Ｂで構成され、さらに、第１Ａレンズ群Ｇ１Ａは、物体側から順に、負メニスカスレンズの第１レンズＬ１、少なくとも１面に非球面を有する負メニスカスレンズの第２レンズＬ２で構成され、第１Ｂレンズ群Ｇ１Ｂは、最も物体側に少なくとも１面に非球面を有する負メニスカスレンズＬ３を有し、フォーカシングの際、第１Ｂレンズ群Ｇ１Ｂを物体側に移動させるレンズ構成により、画角が１２０°を超える超広画角を得ながら、コンパクトであり、フォーカシングによる収差変動が少ない高い光学性能を有するインナーフォーカス方式を採用したズームレンズが開示されている。
【０００４】
また、特許文献２には、物体側より順に、負の屈折力の第１レンズ群Ｇ１、正の屈折力の第２レンズ群Ｇ２からなり、第１レンズ群Ｇ１は、負の屈折力の第１Ａレンズ群Ｇ１Ａ、負の屈折力の第１Ｂレンズ群Ｇ１Ｂで構成され、さらに、第１Ａレンズ群Ｇ１Ａは、物体側から順に、負メニスカスレンズの第１レンズＬ１、少なくとも１面に非球面を有する負メニスカスレンズの第２レンズＬ２で構成され、第１Ｂレンズ群Ｇ１Ｂは、最も物体側に少なくとも１面に非球面を有する負メニスカスレンズＬ３を有し、第２レンズ群Ｇ２は、第２Ａレンズ群Ｇ２Ａ、第２Ｂレンズ群Ｇ２Ｂ、第２Ｃレンズ群Ｇ２Ｃで構成され、フォーカシングの際、第１Ｂレンズ群Ｇ１Ｂを物体側に移動させ、広角端側から望遠端側へのズーミングの際、第１レンズ群Ｇ１と第２Ａレンズ群Ｇ２Ａとの間隔が減少し、第２Ａレンズ群Ｇ２Ａと第２Ｂレンズ群Ｇ２Ｂとの間隔が減少し、第２Ｂレンズ群Ｇ２Ｂと第２Ｃレンズ群Ｇ２Ｃとの間隔が増加するレンズ構成により、画角が１２０°を超える超広画角を得ながら、十分に長いバックフォーカスを確保することが可能であり、３５ｍｍフォーマットのような大きなイメージサークルに対応することが可能であり、フォーカシングによる収差変動が少ない高い光学性能を有するインナーフォーカス方式を採用したズームレンズが開示されている。
【先行技術文献】
【特許文献】
【０００５】
【特許文献１】特開２０１１−２２７１２４号公報
【特許文献２】特開２０１３−１５６２１号公報
【発明の概要】
【発明が解決しようとする課題】
【０００６】
また、特許文献１に開示されたズームレンズは、画角が１２０°を超える超広画角を得ることが可能であるものの、ＡＰＳ−Ｃフォーマットに対応するズームレンズとして高い光学性能とコンパクト化を実現することを目的としており、３５ｍｍフォーマットのような大きなイメージサークルに対応可能なズームレンズとした場合には、例えば画角が１２０°を超えるような大幅な広画角化を実現しつつ十分に高い光学性能を得ることは困難である。
【０００７】
また、特許文献２に開示されたズームレンズは、特許文献１に開示されたズームレンズと同様に画角が１２０°を超える超広画角を得ることが可能であるものの、ズーミングに際して４つのレンズ群が移動し、さらにフォーカシングに際して第１レンズ群の一部が移動するレンズ構成としているため、ズームレンズ全体として移動するレンズ群が実質的に５つと多く、各レンズ群の偏心による収差変動の抑制が困難であり、また、完成品における良好な光学性能の担保が困難であり、さらには歪曲収差の補正が十分ではない。
【０００８】
本発明は、デジタルカメラ、銀塩カメラ、ビデオカメラ等に用いられるズームレンズであって、広角端において１２０°を超える超広画角を得ながら、十分なバックフォーカスを確保することが可能であり、３５ｍｍフォーマットのような大きなイメージサークルにも対応することが可能であり、良好な光学性能を得ることが可能なズームレンズを提供することを目的とする。
【課題を解決するための手段】
【０００９】
上記の課題を解決するため、本発明の第１の発明に係るズームレンズは、物体側から像側へ順に、負の屈折力の第１レンズ群と、正の屈折力の第２レンズ群と、正の屈折力の第３レンズ群とから構成され、広角端から望遠端へのズーミングに際し、前記第１レンズ群と前記第２レンズ群の間隔が減少し、前記第２レンズ群と前記第３レンズ群の間隔が増大するズームレンズであって、前記第１レンズ群は物体側から像側へ順に、物体側に凸面を向けた第１負メニスカスレンズと、物体側に凸面を向けた第２負メニスカスレンズと、物体側に凸面を向けた第３負メニスカスレンズを有し、前記第１負メニスカスレンズの物体側のレンズ面は非球面形状であり、前記第３負メニスカスレンズの物体側及び像側のレンズ面は非球面形状であり、前記第２レンズ群は物体側から像側へ順に、正の屈折力の第２Ａレンズ群と、開口絞りと、負の屈折力の第２Ｂレンズ群からなり、無限遠物体から近距離物体へのフォーカシングに際し、前記第２レンズ群が光軸に沿って物体側から像側へ移動することを特徴とする。
【００１０】
また、本発明の第２の発明に係るズームレンズは、第１の発明においてさらに、以下の条件を満足することを特徴とする。
（１）Ｌ３Ｆａｓｐ＿Ｈ＜０．０
（２）０．０≦Ｌ３Ｆａｓｐ＿Ｌ
（３）０．０＜Ｌ３Ｒａｓｐ
Ｌ３Ｆａｓｐ＿Ｈ：第３負メニスカスレンズの物体側の非球面形状のレンズ面において広角端での相対像高比０．７５よりも周縁側に対応する主光線が通過する領域における非球面サグ量（基準球面と光軸の交点を基準とした各光線高における基準球面から非球面までの光軸上の長さの差分）
Ｌ３Ｆａｓｐ＿Ｌ：第３負メニスカスレンズの物体側の非球面形状のレンズ面において広角端での相対像高比０．５よりも光軸側に対応する主光線が通過する領域における非球面サグ量（基準球面と光軸の交点を基準とした各光線高における基準球面から非球面までの光軸上の長さの差分）
Ｌ３Ｒａｓｐ：第３負メニスカスレンズの像側の非球面形状のレンズ面における非球面サグ量（基準球面と光軸の交点を基準とした各光線高における基準球面から非球面までの光軸上の長さの差分）
【００１１】
また、本発明の第３の発明に係るズームレンズは、第１又は２の発明においてさらに、以下の条件を満足することを特徴とする。
（４）３５＜１／（｜１／Ｇ２ＢＲ１｜＋｜１／Ｇ２ＢＲ２｜）
Ｇ２ＢＲ１：負の屈折力の第２Ｂレンズ群の物体側のレンズ面の曲率半径
Ｇ２ＢＲ２：負の屈折力の第２Ｂレンズ群の像側のレンズ面の曲率半径
【発明の効果】
【００１２】
本発明によれば、デジタルカメラ、銀塩カメラ、ビデオカメラ等に用いられるズームレンズであって、広角端において１２０°を超える超広画角を得ながら、十分なバックフォーカスを確保することが可能であり、３５ｍｍフォーマットのような大きなイメージサークルにも対応することが可能であり、良好な光学性能を得ることが可能なズームレンズを提供することができる。
【図面の簡単な説明】
【００１３】
【図１】実施例１のズームレンズの広角端での無限遠合焦状態におけるレンズ構成図
【図２】実施例１のズームレンズの広角端での無限遠合焦状態における縦収差図
【図３】実施例１のズームレンズの広角端での撮影倍率１：４０倍における縦収差図
【図４】実施例１のズームレンズの中間焦点距離での無限遠合焦状態における縦収差図
【図５】実施例１のズームレンズの中間焦点距離での撮影倍率１：４０倍における縦収差図
【図６】実施例１のズームレンズの望遠端での無限遠合焦状態における縦収差図
【図７】実施例１のズームレンズの望遠端での撮影倍率１：４０倍における縦収差図
【図８】実施例１のズームレンズの広角端での無限遠合焦状態における横収差図
【図９】実施例１のズームレンズの広角端での撮影倍率１：４０倍における横収差図
【図１０】実施例１のズームレンズの中間焦点距離での無限遠合焦状態における横収差図
【図１１】実施例１のズームレンズの中間焦点距離での撮影倍率１：４０倍における横収差図
【図１２】実施例１のズームレンズの望遠端での無限遠合焦状態における横収差図
【図１３】実施例１のズームレンズの望遠端での撮影倍率１：４０倍における横収差図
【図１４】実施例２のズームレンズの広角端での無限遠合焦状態におけるレンズ構成図
【図１５】実施例２のズームレンズの広角端での無限遠合焦状態における縦収差図
【図１６】実施例２のズームレンズの広角端での撮影倍率１：４０倍における縦収差図
【図１７】実施例２のズームレンズの中間焦点距離での無限遠合焦状態における縦収差図
【図１８】実施例２のズームレンズの中間焦点距離での撮影倍率１：４０倍における縦収差図
【図１９】実施例２のズームレンズの望遠端での無限遠合焦状態における縦収差図
【図２０】実施例２のズームレンズの望遠端での撮影倍率１：４０倍における縦収差図
【図２１】実施例２のズームレンズの広角端での無限遠合焦状態における横収差図
【図２２】実施例２のズームレンズの広角端での撮影倍率１：４０倍における横収差図
【図２３】実施例２のズームレンズの中間焦点距離での無限遠合焦状態における横収差図
【図２４】実施例２のズームレンズの中間焦点距離での撮影倍率１：４０倍における横収差図
【図２５】実施例２のズームレンズの望遠端での無限遠合焦状態における横収差図
【図２６】実施例２のズームレンズの望遠端での撮影倍率１：４０倍における横収差図
【図２７】実施例３のズームレンズの広角端での無限遠合焦状態におけるレンズ構成図
【図２８】実施例３のズームレンズの広角端での無限遠合焦状態における縦収差図
【図２９】実施例３のズームレンズの広角端での撮影倍率１：４０倍における縦収差図
【図３０】実施例３のズームレンズの中間焦点距離での無限遠合焦状態における縦収差図
【図３１】実施例３のズームレンズの中間焦点距離での撮影倍率１：４０倍における縦収差図
【図３２】実施例３のズームレンズの望遠端での無限遠合焦状態における縦収差図
【図３３】実施例３のズームレンズの望遠端での撮影倍率１：４０倍における縦収差図
【図３４】実施例３のズームレンズの広角端での無限遠合焦状態における横収差図
【図３５】実施例３のズームレンズの広角端での撮影倍率１：４０倍における横収差図
【図３６】実施例３のズームレンズの中間焦点距離での無限遠合焦状態における横収差図
【図３７】実施例３のズームレンズの中間焦点距離での撮影倍率１：４０倍における横収差図
【図３８】実施例３のズームレンズの望遠端での無限遠合焦状態における横収差図
【図３９】実施例３のズームレンズの望遠端での撮影倍率１：４０倍における横収差図
【図４０】実施例４のズームレンズの広角端での無限遠合焦状態におけるレンズ構成図
【図４１】実施例４のズームレンズの広角端での無限遠合焦状態における縦収差図
【図４２】実施例４のズームレンズの広角端での撮影倍率１：４０倍における縦収差図
【図４３】実施例４のズームレンズの中間焦点距離での無限遠合焦状態における縦収差図
【図４４】実施例４のズームレンズの中間焦点距離での撮影倍率１：４０倍における縦収差図
【図４５】実施例４のズームレンズの望遠端での無限遠合焦状態における縦収差図
【図４６】実施例４のズームレンズの望遠端での撮影倍率１：４０倍における縦収差図
【図４７】実施例４のズームレンズの広角端での無限遠合焦状態における横収差図
【図４８】実施例４のズームレンズの広角端での撮影倍率１：４０倍における横収差図
【図４９】実施例４のズームレンズの中間焦点距離での無限遠合焦状態における横収差図
【図５０】実施例４のズームレンズの中間焦点距離での撮影倍率１：４０倍における横収差図
【図５１】実施例４のズームレンズの望遠端での無限遠合焦状態における横収差図
【図５２】実施例４のズームレンズの望遠端での撮影倍率１：４０倍における横収差図
【発明を実施するための形態】
【００１４】
以下、本発明に係るズームレンズの実施例について説明する。
【００１５】
図１、図１４、図２７、図４０は、本発明に係る実施例１乃至４のレンズ構成図を示す。
【００１６】
本実施例のズームレンズは、物体側から像側へ順に、負の屈折力の第１レンズ群と、正の屈折力の第２レンズ群と、正の屈折力の第３レンズ群とから構成される。
【００１７】
また、広角端から望遠端へのズーミングに際し、すべてのレンズ群が光軸に沿って移動することにより、第１レンズ群と第２レンズ群の間隔が減少し、第２レンズ群と第３レンズ群の間隔が増大する。
【００１８】
本実施例のズームレンズでは、物体側に負の屈折力のレンズ群を配置し、像側に正の屈折力のレンズ群を配置するレトロフォーカスタイプを基本としている。これにより、広角端で１２０°超える画角の実現を可能とし、十分なバックフォーカスを確保して光路上にレフレックスミラーを備えるような一眼レフカメラへの対応を可能としている。従来、レトロフォーカスタイプの光学系は、バックフォーカスを十分に確保するための有効なレンズタイプとして実用化されてきた。
【００１９】
また、本実施例のズームレンズでは、第１レンズ群は、物体側から像側へ順に、物体側に凸面を向けた第１負メニスカスレンズと、物体側に凸面を向けた第２負メニスカスレンズと、物体側に凸面を向けた第３負メニスカスレンズを有する。
【００２０】
本実施例のような広角端で超広画角となるズームレンズでは、光軸に対して入射角度が大きくなる周辺画角の光束を収差補正を適切に考慮して屈折させることが重要となる。広角端での広い画角を実現しつつ、特に、第１レンズ群に含まれる負レンズで発生するコマ収差や非点収差の悪化を防ぐために、第１レンズ群は物体側から像側へ順に、まず負メニスカスレンズを３枚連続して配置して周縁部の主光線と光軸との角度を緩めることとしている。
【００２１】
また、本実施例のズームレンズでは、第１レンズ群の、第１負メニスカスレンズの物体側のレンズ面は非球面形状であり、第３負メニスカスレンズの物体側及び像側のレンズ面は非球面形状である。
【００２２】
本実施例のようなレトロフォーカスタイプを基本とするズームレンズでは、屈折力配置が非対称であるため、歪曲収差や非点収差が発生しやすく、良好な光学性能を得るためにはこれらを適切に補正する必要がある。特に本実施例のような広角端での画角が超広画角となるズームレンズでは、焦点距離が短くなることにより一定のＦナンバーに対する入射瞳径は小さくなる。さらに、各画角の光束が光学系において最も物体側に配置された第１レンズ群を通過する光軸からの高さは、各画角により大きく変化する。すなわち、第１レンズ群を通過する光束は、各画角により局所的な領域を通過する。したがって、第１レンズ群を構成するレンズのレンズ面に非球面形状を採用することで、画角ごとに適切な収差補正を施すことが可能となり、光学系全系の良好な光学性能を実現することが可能となる。
【００２３】
本実施例のズームレンズでは、特に、第１負メニスカスレンズの物体側のレンズ面と、第３負メニスカスレンズの物体側及び像側のレンズ面を非球面形状としている。
【００２４】
本実施例のズームレンズのように絞りよりも物体側に負の屈折力のレンズ群が配置されるレンズ構成においては強い負の歪曲収差が発生するが、これを補正するために第１レンズ群において最も物体側に配置された第１負メニスカスレンズの物体側のレンズ面を非球面形状とすることが好ましい。ただし、歪曲収差の発生は非点収差の発生に強く関連し、さらに低い像高で発生する歪曲収差の補正も行う必要があるため、第１レンズ群における歪曲収差及び非点収差の補正の自由度を向上させることを目的として、第１負メニスカスレンズの物体側のレンズ面に加えて第３負メニスカスレンズの物体側及び像側のレンズ面を非球面形状とすることとしている。
【００２５】
第１負メニスカスレンズの物体側のレンズ面の非球面形状を、例えば、第１負メニスカスレンズの像側に形成した場合にも歪曲収差を補正することは可能であるが、光束が通過する光線高さが画角により大きく異るような最も物体側に配置された第１負メニスカスレンズの物体側のレンズ面に非球面形状を形成することで最も効果的に歪曲収差を補正することが可能となる。
【００２６】
また、本実施例のズームレンズでは、第２レンズ群は物体側から像側へ順に、正の屈折力の第２Ａレンズ群と、開口絞りと、負の屈折力の第２Ｂレンズ群からなる。
【００２７】
開口絞りは光量を調節する目的で光学系に配置されるが、開口絞りの開口度を迅速かつ適切に変化させるためにはそのための駆動機構が必要となる。したがって、光学系において開口絞りを配置する際には、開口絞りのスペースだけではなく、これを駆動するための駆動機構をも含めた開口絞りユニットの大きさも考慮する必要があり、開口絞りユニットの配置には一定のスペースが要求される。
【００２８】
本実施例のズームレンズは、広角端から望遠端へのズーミングに際して第１レンズ群と第２レンズ群の間隔が減少するレンズ構成であるため、開口絞りを第１レンズ群と第２レンズ群の間に配置する場合には望遠端での開口絞りユニットのスペースを考慮してこのレンズ群間隔を長くしなければならない。
【００２９】
一方、負の屈折力の第１レンズ群から射出される軸上光束は発散されるため、開口絞りを配置するために第１レンズ群と第２レンズ群との間隔を長くすると第２レンズ群へ入射する軸上光束の径が大きくなってしまうという問題が生じる。第２レンズ群へ入射する軸上光束の径が大きくなると、第２レンズ群及び第３レンズ群のレンズ面で発生する球面収差が増加して、これを補正することが困難となり、光学系の結像性能が悪化してしまうおそれがある。加えて、製造誤差による球面収差、軸上コマ収差、軸上非点収差の発生も大きくなるので、これらを製造時に適切にコントロールして良好な結像性能を担保するための製造コストが増大してしまうおそれがある。
【００３０】
本実施例では、第２レンズ群の内部に開口絞りを配置することで、第１レンズ群と第２レンズ群との間隔を長くすることなく、第２レンズ群へ入射する軸上光束の径が大きくなることを抑えて良好な結像性能を得ることを可能とした。
【００３１】
また、本実施例では、第２レンズ群を通過する軸上光束の径が大きくなることを抑えるため、開口絞りにより分割された第２レンズ群の前群である第２Ａレンズ群を正の屈折力とし、第２レンズ群を通過する軸上光束の径を下げて良好な結像性能を得ることを可能とした。
【００３２】
また、本実施例のズームレンズでは、無限遠物体から近距離物体へのフォーカシングに際し、第２レンズ群が光軸に沿って物体側から像側へ移動する。
【００３３】
上述のように本実施例でのズームレンズは、レトロフォーカスタイプのレンズ構成を採用している。レトロフォーカスタイプの光学系は物体距離の変化に伴う非点収差の変動が大きい。
【００３４】
本実施例のズームレンズでは、フォーカシングに際し、第２レンズ群を光軸に沿って物体側から像側へ移動するレンズ構成とすることで、第２レンズ群と第３レンズ群との間隔を適切な状態に維持することにより物体距離の変化に伴う非点収差の変動を打ち消し、かつ、移動するレンズ群を簡略化することによりレンズ鏡筒の機構の複雑化を避けることを可能としている。
【００３５】
さらに、本実施例のズームレンズでは、以下の条件を満足する。
（１）Ｌ３Ｆａｓｐ＿Ｈ＜０．０
（２）０．０≦Ｌ３Ｆａｓｐ＿Ｌ
（３）０．０＜Ｌ３Ｒａｓｐ
Ｌ３Ｆａｓｐ＿Ｈ：第３負メニスカスレンズの物体側の非球面形状のレンズ面において広角端での相対像高比０．７５よりも周縁側に対応する主光線が通過する領域における非球面サグ量（基準球面と光軸の交点を基準とした各光線高における基準球面から非球面までの光軸上の長さの差分）
Ｌ３Ｆａｓｐ＿Ｌ：第３負メニスカスレンズの物体側の非球面形状のレンズ面において広角端での相対像高比０．５よりも光軸側に対応する主光線が通過する領域における非球面サグ量（基準球面と光軸の交点を基準とした各光線高における基準球面から非球面までの光軸上の長さの差分）
Ｌ３Ｒａｓｐ：第３負メニスカスレンズの像側の非球面形状のレンズ面における非球面サグ量（基準球面と光軸の交点を基準とした各光線高における基準球面から非球面までの光軸上の長さの差分）
【００３６】
条件式（１）は、第３負メニスカスレンズの物体側の非球面形状のレンズ面において広角端での相対像高比０．７５よりも周縁側に対応する主光線が通過する領域における非球面サグ量の適切な範囲を規定するものである。
【００３７】
条件式（１）の上限を超えると、第３負メニスカスレンズの物体側の非球面形状のレンズ面における上記の領域で基準球面に対して負の屈折力となるため、レトロフォーカスタイプを基礎とする本実施例のズームレンズで発生する像高の高い画像周辺部における負の歪曲収差の補正が困難となる。
【００３８】
条件式（２）は、第３負メニスカスレンズの物体側の非球面形状のレンズ面において広角端での相対像高比０．５よりも光軸側に対応する主光線が通過する領域における非球面サグ量の適切な範囲を規定するものである。
【００３９】
条件式（２）の下限を超えると、第３負メニスカスレンズの物体側の非球面形状のレンズ面における上記の領域で基準球面に対して正の屈折力となるため、本実施例のズームレンズで発生する像高の低い領域における正の歪曲収差の補正が困難となり、また、非点収差がプラスに現れるため好ましくない。
【００４０】
条件式（３）は、第３負メニスカスレンズの像側の非球面形状のレンズ面における非球面サグ量の適切な範囲を規定するものである。
【００４１】
条件式（３）の下限を超えると、第３負メニスカスレンズの像側の非球面形状のレンズ面で基準球面に対して負の屈折力となるため、画像全体における負の歪曲収差及び負の非点収差の抑制が困難となる。
【００４２】
さらに、本実施例のズームレンズでは、以下の条件を満足する。
（４）３５＜１／（｜１／Ｇ２ＢＲ１｜＋｜１／Ｇ２ＢＲ２｜）
Ｇ２ＢＲ１：負の屈折力の第２Ｂレンズ群の物体側のレンズ面の曲率半径
Ｇ２ＢＲ２：負の屈折力の第２Ｂレンズ群の像側のレンズ面の曲率半径
【００４３】
条件式（４）は、第２Ｂレンズ群の物体側及び像側の空気界面におけるレンズ面の曲率半径の関係について適切な範囲を規定している。
【００４４】
本実施例のズームレンズでは、第２レンズ群の内部に開口絞りを配置する構成としているため、第２レンズ群以降を通過する各画角の光束についての光軸からの高さの差は小さく、また、レトロフォーカスタイプを基本としたレンズ構成であるため、第２レンズ群以降を通過する軸上光束の径が大きく開口収差の敏感度が高くなる傾向にある。さらに、開口絞りを第２レンズ群の内部に配置して第１レンズ群と第２レンズ群との可変間隔を変倍作用のために優先的に利用したことで第２レンズ群は開口絞りにより第２Ａレンズ群（前群）と第２Ｂレンズ群（後群）とに分割されることとなり、これらのレンズ群の製造誤差によって生じる相対的な偏心による収差発生を抑制することが困難となるおそれがある。したがって、完成品において良好な光学性能を得るためには、第２レンズ群を構成する第２Ａレンズ群と第２Ｂレンズ群との相対的な偏心による収差発生の敏感度を抑制する必要がある。
【００４５】
条件式（４）の下限を超えると、第２Ｂレンズ群の屈折力が強くなり、第２Ｂレンズ群の偏心による光学性能の低下を抑制することが困難となる。また、本実施例のズームレンズが基本とするレトロフォーカスタイプのレンズ構成において屈折力配置を保持するために、第２Ａレンズ群の屈折力も強くなることとなり、さらに第２Ａレンズ群と第２Ｂレンズ群との製造誤差による光学性能の低下を抑制することが困難となる。
【００４６】
なお、条件式（４）の下限を４０とすることで本発明による効果をより確実なものとすることができる。
【００４７】
次に、本発明のズームレンズに係る実施例のレンズ構成について説明する。なお、以下の説明ではレンズ構成を物体側から像側の順番で記載する。
【実施例１】
【００４８】
図１は、本発明に係る実施例１のズームレンズのレンズ構成図である。
【００４９】
実施例１のズームレンズは、物体側から順に、負の屈折力の第１レンズ群Ｇ１、正の屈折力の第２レンズ群Ｇ２、正の屈折力の第３レンズ群Ｇ３からなる。また、第２レンズ群Ｇ２は、物体側から順に、正の屈折力の第２Ａレンズ群Ｇ２Ａ、開口絞りＳ、負の屈折力の第２Ｂレンズ群Ｇ２Ｂからなる。
【００５０】
広角端から望遠端へのズーミングに際して、第１レンズ群Ｇ１は物体側から像側へ移動し、第２レンズ群Ｇ２及び第３レンズ群Ｇ３は像側から物体側へ移動する。
【００５１】
無限遠物体から近距離物体へのフォーカシングに際して、第２レンズ群Ｇ２は物体側から像側へ移動する。
【００５２】
第１レンズ群Ｇ１は、物体側から順に、物体側のレンズ面が非球面形状である物体側へ凸面を向けた負メニスカスレンズＬ１と、物体側へ凸面を向けた負メニスカスレンズＬ２と、物体側及び像側のレンズ面が非球面形状である物体側へ凸面を向けた負メニスカスレンズＬ３と、両凹レンズと、物体側へ凸面を向けた負メニスカスレンズと両凸レンズの接合レンズからなる。
【００５３】
第２レンズ群Ｇ２は、物体側から順に、両凸レンズと、開口絞りＳと、両凸レンズと両凹レンズと物体側へ凸面を向けた正メニスカスレンズの３枚接合レンズからなる。
【００５４】
第３レンズ群Ｇ３は、物体側から順に、両凸レンズと両凹レンズの接合レンズと、両凸レンズと、物体側に凸面を向けた負メニスカスレンズと両凸レンズの接合レンズと、物体側及び像側のレンズ面が非球面形状である像側に凸面を向けた正メニスカスレンズからなる。
【実施例２】
【００５５】
図１４は、本発明に係る実施例２のズームレンズのレンズ構成図である。
【００５６】
実施例２のズームレンズは、物体側から順に、負の屈折力の第１レンズ群Ｇ１、正の屈折力の第２レンズ群Ｇ２、正の屈折力の第３レンズ群Ｇ３からなる。また、第２レンズ群Ｇ２は、物体側から順に、正の屈折力の第２Ａレンズ群Ｇ２Ａ、開口絞りＳ、負の屈折力の第２Ｂレンズ群Ｇ２Ｂからなる。
【００５７】
広角端から望遠端へのズーミングに際して、第１レンズ群Ｇ１は物体側から像側へ移動し、第２レンズ群Ｇ２及び第３レンズ群Ｇ３は像側から物体側へ移動する。
【００５８】
無限遠物体から近距離物体へのフォーカシングに際して、第２レンズ群Ｇ２は物体側から像側へ移動する。
【００５９】
第１レンズ群Ｇ１は、物体側から順に、物体側のレンズ面が非球面形状である物体側へ凸面を向けた負メニスカスレンズＬ１と、物体側へ凸面を向けた負メニスカスレンズＬ２と、物体側及び像側のレンズ面が非球面形状である物体側へ凸面を向けた負メニスカスレンズＬ３と、両凹レンズと、物体側へ凸面を向けた負メニスカスレンズと物体側へ凸面を向けた正メニスカスレンズの接合レンズからなる。
【００６０】
第２レンズ群Ｇ２は、物体側から順に、両凸レンズと、開口絞りＳと、物体側へ凹面を向けた正メニスカスレンズと両凹レンズと両凸レンズの３枚接合レンズからなる。
【００６１】
第３レンズ群Ｇ３は、物体側から順に、両凸レンズと両凹レンズの接合レンズと、両凸レンズと、物体側に凸面を向けた負メニスカスレンズと両凸レンズの接合レンズと、物体側及び像側のレンズ面が非球面形状である像側に凸面を向けた正メニスカスレンズからなる。
【実施例３】
【００６２】
図２７は、本発明に係る実施例３のズームレンズのレンズ構成図である。
【００６３】
実施例３のズームレンズは、物体側から順に、負の屈折力の第１レンズ群Ｇ１、正の屈折力の第２レンズ群Ｇ２、正の屈折力の第３レンズ群Ｇ３からなる。また、第２レンズ群Ｇ２は、物体側から順に、正の屈折力の第２Ａレンズ群Ｇ２Ａ、開口絞りＳ、負の屈折力の第２Ｂレンズ群Ｇ２Ｂからなる。
【００６４】
広角端から望遠端へのズーミングに際して、第１レンズ群Ｇ１は物体側から像側へ移動し、第２レンズ群Ｇ２及び第３レンズ群Ｇ３は像側から物体側へ移動する。
【００６５】
無限遠物体から近距離物体へのフォーカシングに際して、第２レンズ群Ｇ２は物体側から像側へ移動する。
【００６６】
第１レンズ群Ｇ１は、物体側から順に、物体側のレンズ面が非球面形状である物体側へ凸面を向けた負メニスカスレンズＬ１と、物体側へ凸面を向けた負メニスカスレンズＬ２と、物体側及び像側のレンズ面が非球面形状である物体側へ凸面を向けた負メニスカスレンズＬ３と、両凹レンズと、物体側へ凸面を向けた負メニスカスレンズと物体側へ凸面を向けた正メニスカスレンズの接合レンズからなる。
【００６７】
第２レンズ群Ｇ２は、物体側から順に、両凸レンズと、開口絞りＳと、両凸レンズと両凹レンズと両凸レンズの３枚接合レンズからなる。
【００６８】
第３レンズ群Ｇ３は、物体側から順に、両凸レンズと両凹レンズの接合レンズと、両凸レンズと、物体側に凸面を向けた負メニスカスレンズと両凸レンズの接合レンズと、物体側及び像側のレンズ面が非球面形状である像側に凸面を向けた正メニスカスレンズからなる。
【実施例４】
【００６９】
図４０は、本発明に係る実施例４のズームレンズのレンズ構成図である。
【００７０】
実施例４のズームレンズは、物体側から順に、負の屈折力の第１レンズ群Ｇ１、正の屈折力の第２レンズ群Ｇ２、正の屈折力の第３レンズ群Ｇ３からなる。また、第２レンズ群Ｇ２は、物体側から順に、正の屈折力の第２Ａレンズ群Ｇ２Ａ、開口絞りＳ、負の屈折力の第２Ｂレンズ群Ｇ２Ｂからなる。
【００７１】
広角端から望遠端へのズーミングに際して、第１レンズ群Ｇ１は物体側から像側へ移動し、第２レンズ群Ｇ２及び第３レンズ群Ｇ３は像側から物体側へ移動する。
【００７２】
無限遠物体から近距離物体へのフォーカシングに際して、第２レンズ群Ｇ２は物体側から像側へ移動する。
【００７３】
第１レンズ群Ｇ１は、物体側から順に、物体側のレンズ面が非球面形状である物体側へ凸面を向けた負メニスカスレンズＬ１と、物体側へ凸面を向けた負メニスカスレンズＬ２と、物体側及び像側のレンズ面が非球面形状である物体側へ凸面を向けた負メニスカスレンズＬ３と、両凹レンズと、物体側へ凸面を向けた負メニスカスレンズと物体側へ凸面を向けた正メニスカスレンズの接合レンズからなる。
【００７４】
第２レンズ群Ｇ２は、物体側から順に、両凸レンズと、開口絞りＳと、物体側へ凹面を向けた正メニスカスレンズと両凹レンズと両凸レンズの３枚接合レンズからなる。
【００７５】
第３レンズ群Ｇ３は、物体側から順に、両凸レンズと両凹レンズの接合レンズと、両凸レンズと、物体側に凸面を向けた負メニスカスレンズと両凸レンズの接合レンズと、物体側及び像側のレンズ面が非球面形状である像側に凸面を向けた正メニスカスレンズからなる。
【００７６】
次に、本発明のズームレンズに係る実施例の数値実施例と条件式対応値について説明する。
【００７７】
［面データ］において、面番号は物体側から数えたレンズ面または開口絞りの番号、ｒは各レンズ面の曲率半径、ｄは各レンズ面の間隔、ｎｄはｄ線（波長５８７．５６ｎｍ）に対する屈折率、ｖｄはｄ線に対するアッベ数を示している。
【００７８】
面番号に付した＊（アスタリスク）は、そのレンズ面形状が非球面であることを示している。また、ＢＦはバックフォーカスを表している。
【００７９】
面番号に付した（絞り）は、その位置に開口絞りが位置していることを示している。平面または開口絞りに対する曲率半径には∞（無限大）を記入している。
【００８０】
［非球面データ］には、［面データ］において＊を付したレンズ面の非球面形状を与える各係数の値を示している。非球面の形状は、下記の式で表される。以下の式において、光軸に直交する方向への光軸からの変位をｙ、非球面と光軸の交点から光軸方向への変位（サグ量）をｚ、基準球面の曲率半径をｒ、コーニック係数をＫで表している。また、３、４、５、６、７、８、９、１０、１１、１２次の非球面係数をそれぞれＡ３、Ａ４、Ａ５、Ａ６、Ａ７、Ａ８、Ａ９、Ａ１０、Ａ１１、Ａ１２で表している。
【００８１】
2018045097.tif 000003
【００８２】
［各種データ］には、無限遠合焦時における焦点距離等の値を示している。
【００８３】
［可変間隔データ］には、各焦点距離での各物体距離合焦時におけるレンズ面の可変間隔の値を示している。
【００８４】
［レンズ群データ］には、各レンズ群を構成する最も物体側のレンズ面番号及びレンズ群全体の合成焦点距離を示している。
【００８５】
なお、以下の全ての諸元の値において、記載している焦点距離ｆ、曲率半径ｒ、レンズ面間隔ｄ、その他の長さの単位は特記のない限りミリメートル（ｍｍ）を使用するが、光学系では比例拡大と比例縮小とにおいても同等の光学性能が得られるので、これに限られるものではない。
【００８６】
また、各実施例に対応する収差図において、ｄ、ｇ、Ｃはそれぞれｄ線、ｇ線、Ｃ線を表しており、△Ｓ、△Ｍはそれぞれサジタル像面、メリジオナル像面を表している。
【００８７】
数値実施例１
単位：mm
［面データ］
面番号              r                d               nd            vd
物面                    ∞               d0
1*            135.5528           4.0000          1.69090      52.98
2              26.7393          11.6744
3              35.6623           1.3263          1.90043      37.37
4              21.4633           7.9774
5*             38.4325           2.0000          1.59051      66.72
6*             21.0195          12.0179
7             -96.3664           1.3789          1.43700      95.10
8              78.1980           2.0424
9             510.6072           1.1927          1.43700      95.10
10              33.1888           8.6806          1.88300      40.80
11           -9290.8481              d11
12              29.9799           5.3542          1.51823      58.96
13             -82.7997           1.9905
14(絞り)             ∞           2.0937
15              90.3724           3.2168          1.64769      33.84
16             -24.8054           0.8000          1.95375      32.32
17              39.5546           2.3987          1.92286      20.88
18             300.3209              d18
19             321.7525           2.8623          1.43700      95.10
20             -28.6685           0.8000          1.88300      40.80
21             113.6323           0.1500
22              25.3126           5.1691          1.43700      95.10
23             -39.5030           0.1500
24              27.3701           0.8500          1.88300      40.80
25              15.9424           7.0291          1.43700      95.10
26             -88.4908           1.0466
26*            -35.2987           2.0105          1.55232      71.54
26*            -34.3786           3.0000
29                   ∞           1.4500          1.52301      58.59
30                   ∞               BF
像面                    ∞
［非球面データ］
1面           5面           6面          27面          28面
K   0.0000        0.0000        0.0000        0.0000        0.0000
A3   0.00000E+00  -5.06363E-04  -5.16702E-04   0.00000E+00   0.00000E+00
A4   8.50106E-06   2.16537E-04   2.40168E-04   3.08647E-05   4.80767E-05
A5   0.00000E+00  -4.37028E-05  -5.19226E-05   0.00000E+00   0.00000E+00
A6  -7.38137E-09   3.57798E-06   5.04244E-06   2.00116E-07   2.51071E-07
A7   0.00000E+00  -5.19243E-08  -2.11789E-07   0.00000E+00   0.00000E+00
A8   5.75851E-12  -7.24855E-09   3.52902E-09  -2.36080E-09  -2.41699E-09
A9   0.00000E+00   1.99694E-10  -3.30352E-11   0.00000E+00   0.00000E+00
A10  -2.51692E-15   1.52426E-11  -1.02396E-11   3.25141E-12   4.50605E-12
A11   0.00000E+00  -8.51817E-13   1.08633E-12   0.00000E+00   0.00000E+00
A12   4.78883E-19   1.21790E-14  -2.78944E-14   0.00000E+00   0.00000E+00
［各種データ］
ズーム比                    1.86
広角                 中間                 望遠
焦点距離                    12.40                16.48                23.05
Fナンバー                    4.15                 4.14                 4.15
全画角2ω                  121.28               104.67                85.40
像高Y                       21.63                21.63                21.63
レンズ全長                 167.46               158.43               156.40
［可変間隔データ］
（物体距離無限遠）
広角                 中間                 望遠
d0                ∞                   ∞                   ∞
d11            33.7543              16.7198               1.8391
d18             5.8527               6.1655               6.5197
BF            35.1909              42.8777              55.3811
（撮影距離４０倍）
広角                 中間                 望遠
d0           465.4085             639.2961             894.6208
d11            34.9353              17.4217               2.3301
d18             4.6717               5.4636               6.0288
BF            35.1909              42.8777              55.3811
［レンズ群データ］
群          始面                 焦点距離
G1                 1                -21.27
G2                12                 60.35
G3                19                 60.04
G2A                12                 43.17
G2B                15               -113.27
【００８８】
数値実施例２
単位：mm
［面データ］
面番号              r                d               nd            vd
物面                    ∞               d0
1*            133.5319           4.0000          1.69090      52.98
2              29.0193           9.0505
3              36.9009           1.5021          1.90043      37.37
4              21.9843          10.7139
5*             42.2390           2.0000          1.59051      66.72
6*             20.2270          11.6548
7             -86.0416           1.1437          1.43700      95.10
8              52.6015           2.2862
9              91.7008           1.2591          1.43700      95.10
10              32.9014           7.1882          1.88300      40.80
11            1862.5231              d11
12              29.8520           3.4522          1.51823      58.96
13             -71.3696           1.9863
14(絞り)             ∞           2.2734
15            -115.9957           6.0384          1.64769      33.84
16             -20.1455           0.8000          1.95375      32.32
17              63.0450           2.3712          1.92286      20.88
18             -94.8658              d18
19              61.6687           3.0762          1.43700      95.10
20             -32.4970           1.5798          1.88300      40.80
21             164.7325           0.2180
22              23.8093           4.6565          1.43700      95.10
23             -50.0635           0.1500
24              37.3944           0.8500          1.88300      40.80
25              15.9218           7.2421          1.43700      95.10
26            -118.2573           0.9554
27*            -43.5089           1.7137          1.55232      71.54
28*            -34.3648          36.7415
29                   ∞           1.4500          1.52301      58.59
30                   ∞               BF
像面                    ∞
［非球面データ］
1面           5面           6面          27面          28面
K   0.0000        0.0000        0.0000        0.0000        0.0000
A3   0.00000E+00  -5.37715E-04  -5.18213E-04   0.00000E+00   0.00000E+00
A4   7.92621E-06   2.25403E-04   2.38912E-04   1.99936E-05   3.52523E-05
A5   0.00000E+00  -4.41792E-05  -5.17564E-05   0.00000E+00   0.00000E+00
A6  -6.39306E-09   3.58069E-06   5.03353E-06   2.31740E-07   2.77610E-07
A7   0.00000E+00  -5.23857E-08  -2.12648E-07   0.00000E+00   0.00000E+00
A8   4.45245E-12  -7.22809E-09   3.50675E-09  -2.33328E-09  -2.40330E-09
A9   0.00000E+00   2.01591E-10  -3.11119E-11   0.00000E+00   0.00000E+00
A10  -1.79721E-15   1.51557E-11  -1.02846E-11   9.97910E-13   2.52463E-12
A11   0.00000E+00  -8.53398E-13   1.08656E-12   0.00000E+00   0.00000E+00
A12   3.49541E-19   1.21655E-14  -2.80015E-14   0.00000E+00   0.00000E+00
［各種データ］
ズーム比                    1.86
広角                 中間                 望遠
焦点距離                    12.39                16.64                23.08
Fナンバー                    4.04                 4.04                 4.16
全画角2ω                  121.27               104.29                85.36
像高Y                       21.63                21.63                21.63
レンズ全長                 167.88               158.00               155.77
［可変間隔データ］
（物体距離無限遠）
広角                 中間                 望遠
d0                ∞                   ∞                   ∞
d11            34.5864              16.4855               1.6422
d18             5.4321               5.8016               6.4075
BF             1.5104               9.3633              21.3709
（撮影距離４０倍）
広角                 中間                 望遠
d0           465.4085             639.2961             894.6208
d11            35.6759              17.1996               2.1665
d18             4.3427               5.0874               5.8832
BF             1.5103               9.3633              21.3709
［レンズ群データ］
群          始面                 焦点距離
G1                 1                -21.79
G2                12                 67.76
G3                19                 57.43
G2A                12                 41.09
G2B                15                -88.33
【００８９】
数値実施例３
単位：mm
［面データ］
面番号              r                d               nd            vd
物面                    ∞               d0
1*            142.3924           4.0000          1.69090      52.98
2              27.1497          11.2239
3              36.4307           1.2660          1.90043      37.37
4              21.9407           8.4667
5*             38.9176           2.0000          1.59051      66.72
6*             20.2959          12.0347
7            -101.1845           1.0000          1.43700      95.10
8              85.5727           1.8403
9             466.9892           1.0837          1.43700      95.10
10              32.4957           8.9541          1.88300      40.80
11            3509.3968              d11
12              28.9388           4.4785          1.51823      58.96
13             -74.4750           2.5793
14(絞り)             ∞           2.1146
15             262.9302           3.1822          1.64769      33.84
16             -22.0531           0.8000          1.95375      32.32
17              47.0741           2.4753          1.92286      20.88
18            -512.5043              d18
19            2056.5337           2.8774          1.43700      95.10
20             -27.2820           0.8000          1.88300      40.80
21             140.6569           0.1500
22              25.5757           5.3194          1.43700      95.10
23             -38.1548           0.1500
24              26.8408           0.8500          1.88300      40.80
25              15.9194           7.0266          1.43700      95.10
26             -90.9268           1.1147
27*            -35.1146           2.1120          1.55232      71.54
28*            -34.8587           3.0000
29                   ∞           1.4500          1.52301      58.59
30                   ∞               BF
像面                    ∞
［非球面データ］
1面           5面           6面          27面          28面
K   0.0000        0.0000        0.0000        0.0000        0.0000
A3   0.00000E+00  -4.86653E-04  -4.93023E-04   0.00000E+00   0.00000E+00
A4   8.47154E-06   2.21669E-04   2.42990E-04   2.98252E-05   4.80352E-05
A5   0.00000E+00  -4.40889E-05  -5.21361E-05   0.00000E+00   0.00000E+00
A6  -7.45703E-09   3.56325E-06   5.01997E-06   1.94717E-07   2.46296E-07
A7   0.00000E+00  -5.16370E-08  -2.11924E-07   0.00000E+00   0.00000E+00
A8   5.78701E-12  -7.21598E-09   3.52746E-09  -2.30569E-09  -2.36443E-09
A9   0.00000E+00   2.00081E-10  -2.99069E-11   0.00000E+00   0.00000E+00
A10  -2.50858E-15   1.52610E-11  -1.00940E-11   3.01207E-12   4.35459E-12
A11   0.00000E+00  -8.55171E-13   1.08298E-12   0.00000E+00   0.00000E+00
A12   4.76761E-19   1.21576E-14  -2.83764E-14   0.00000E+00   0.00000E+00
［各種データ］
ズーム比                    1.86
広角                 中間                 望遠
焦点距離                    12.42                16.50                23.06
Fナンバー                    4.16                 4.14                 4.18
全画角2ω                  121.16               104.60                85.40
像高Y                       21.63                21.63                21.63
レンズ全長                 167.09               158.09               156.01
［可変間隔データ］
（物体距離無限遠）
広角                 中間                 望遠
d0                ∞                   ∞                   ∞
d11            33.7265              16.6953               1.8515
d18             5.8191               6.1370               6.4050
BF            35.1968              42.9053              55.4016
（撮影距離４０倍）
広角                 中間                 望遠
d0           465.4085             639.2961             894.6208
d11            34.8994              17.3956               2.3426
d18             4.6463               5.4366               5.9139
BF            35.1968              42.9053              55.4016
［レンズ群データ］
群          始面                 焦点距離
G1                 1                -21.26
G2                12                 60.38
G3                19                 59.68
G2A                12                 40.82
G2B                15                -98.26
【００９０】
数値実施例４
単位：mm
［面データ］
面番号              r                d               nd            vd
物面                    ∞               d0
1*            133.6942           4.0000          1.69090      52.98
2              28.1773           9.1045
3              34.8794           1.3124          1.90043      37.37
4              21.7866           9.9399
5*             41.9726           2.0000          1.59051      66.72
6*             20.4237          11.9844
7            -100.7895           1.0000          1.43700      95.10
8              67.8348           2.1062
9             213.4842           1.1912          1.43700      95.10
10              31.8225           7.6514          1.88300      40.80
11            1208.6604              d11
12              30.0062           3.9381          1.51823      58.96
13             -62.1241           1.3179
14(絞り)             ∞           2.3732
15             -81.7709           5.5446          1.64769      33.84
16             -19.6290           0.8000          1.95375      32.32
17              82.4301           2.5822          1.92286      20.88
18             -78.2877              d18
19              69.6958           3.0065          1.43700      95.10
20             -33.2675           2.7997          1.88300      40.80
21             163.2202           0.1500
22              25.2049           4.8679          1.43700      95.10
23             -44.7977           0.1500
24              35.0307           0.8500          1.88300      40.80
25              16.2033           6.2388          1.43700      95.10
26            -181.8537           1.2741
27*            -39.6274           1.6806          1.55232      71.54
28*            -33.1294           1.0000
29                   ∞           1.4500          1.52301      58.59
30                   ∞               BF
像面                    ∞
［非球面データ］
1面           5面           6面          27面          28面
K   0.0000        0.0000        0.0000        0.0000        0.0000
A3   0.00000E+00  -4.61958E-04  -4.53200E-04   0.00000E+00   0.00000E+00
A4   8.47759E-06   2.15575E-04   2.33695E-04   2.06045E-05   3.56656E-05
A5   0.00000E+00  -4.39990E-05  -5.17906E-05   0.00000E+00   0.00000E+00
A6  -7.23616E-09   3.58795E-06   5.04097E-06   2.29893E-07   2.73620E-07
A7   0.00000E+00  -5.24155E-08  -2.12243E-07   0.00000E+00   0.00000E+00
A8   5.42755E-12  -7.22183E-09   3.52306E-09  -2.31475E-09  -2.38976E-09
A9   0.00000E+00   2.01363E-10  -3.05502E-11   0.00000E+00   0.00000E+00
A10  -2.35748E-15   1.51514E-11  -1.02750E-11   1.39220E-12   2.91203E-12
A11   0.00000E+00  -8.54205E-13   1.08587E-12   0.00000E+00   0.00000E+00
A12   4.63233E-19   1.22255E-14  -2.81016E-14   0.00000E+00   0.00000E+00
［各種データ］
ズーム比                    1.86
広角                 中間                 望遠
焦点距離                    12.38                16.62                23.08
Fナンバー                    3.99                 3.98                 4.12
全画角2ω                  121.39               104.33                85.28
像高Y                       21.63                21.63                21.63
レンズ全長                 167.58               157.72               155.29
［可変間隔データ］
（物体距離無限遠）
広角                 中間                 望遠
d0                ∞                   ∞                   ∞
d11            34.4489               16.5019              1.6666
d18             5.5444                5.921               6.4485
BF            37.2758               44.979              56.8615
（撮影距離４０倍）
広角                 中間                 望遠
d0           465.4085             639.2961             894.6208
d11            35.5647              17.2245               2.1933
d18             4.4286               5.1984               5.9218
BF            37.2758              44.979               56.8615
［レンズ群データ］
群          始面                 焦点距離
G1                 1                -21.89
G2                12                 66.89
G3                19                 57.72
G2A                12                 39.62
G2B                15                -85.37
【００９１】
［条件式対応値］
条件式／実施例                   実施例１    実施例２    実施例３    実施例４
（４）  1/(|1/G2BR1|+|1/G2BR2|)    69.47       52.19      173.78       40.00
【００９２】
なお、本実施例のズームレンズにおいて、無限遠物体から近距離物体へのフォーカシングに際し、第２レンズ群を構成する開口絞りより物体側と像側に配置された第２Ａレンズ群と第２Ｂレンズ群をそれぞれ異なる移動量で光軸方向へ移動させることにより、フォーカシングの際の収差変動を抑制してより光学性能の向上を行うことも可能である。
【符号の説明】
【００９３】
Ｇ１      第１レンズ群
Ｌ１    第１負メニスカスレンズ
Ｌ２    第２負メニスカスレンズ
Ｌ３    第３負メニスカスレンズ
Ｇ２      第２レンズ群
Ｇ２Ａ  第２Ａレンズ群
Ｇ２Ｂ  第２Ｂレンズ群
Ｇ３      第３レンズ群
Ｓ        開口絞り
Ｉ        像面
【図１】
2018045097.tif 000004
【図２】
2018045097.tif 000005
【図３】
2018045097.tif 000006
【図４】
2018045097.tif 000007
【図５】
2018045097.tif 000008
【図６】
2018045097.tif 000009
【図７】
2018045097.tif 000010
【図８】
2018045097.tif 000011
【図９】
2018045097.tif 000012
【図１０】
2018045097.tif 000013
【図１１】
2018045097.tif 000014
【図１２】
2018045097.tif 000015
【図１３】
2018045097.tif 000016
【図１４】
2018045097.tif 000017
【図１５】
2018045097.tif 000018
【図１６】
2018045097.tif 000019
【図１７】
2018045097.tif 000020
【図１８】
2018045097.tif 000021
【図１９】
2018045097.tif 000022
【図２０】
2018045097.tif 000023
【図２１】
2018045097.tif 000024
【図２２】
2018045097.tif 000025
【図２３】
2018045097.tif 000026
【図２４】
2018045097.tif 000027
【図２５】
2018045097.tif 000028
【図２６】
2018045097.tif 000029
【図２７】
2018045097.tif 000030
【図２８】
2018045097.tif 000031
【図２９】
2018045097.tif 000032
【図３０】
2018045097.tif 000033
【図３１】
2018045097.tif 000034
【図３２】
2018045097.tif 000035
【図３３】
2018045097.tif 000036
【図３４】
2018045097.tif 000037
【図３５】
2018045097.tif 000038
【図３６】
2018045097.tif 000039
【図３７】
2018045097.tif 000040
【図３８】
2018045097.tif 000041
【図３９】
2018045097.tif 000042
【図４０】
2018045097.tif 000043
【図４１】
2018045097.tif 000044
【図４２】
2018045097.tif 000045
【図４３】
2018045097.tif 000046
【図４４】
2018045097.tif 000047
【図４５】
2018045097.tif 000048
【図４６】
2018045097.tif 000049
【図４７】
2018045097.tif 000050
【図４８】
2018045097.tif 000051
【図４９】
2018045097.tif 000052
【図５０】
2018045097.tif 000053
【図５１】
2018045097.tif 000054
【図５２】
2018045097.tif 000055